(57)【要約】【課題】  ゴミ箱内でのゴミの移動を抑制することにより、ゴミの収容スペースを確保することができるゴミ箱を提供することを課題とする。【解決手段】  ゴミ袋Ｂを収容する収容部１ｂを有したゴミ箱であって、上方に開口部１ａを有するゴミ箱本体１と、このゴミ箱本体１の前記開口部１ａを覆う蓋部材２と、を備え、前記蓋部材２は、前記開口部１ａよりも小径に形成された小開口部２ａと、この小開口部２ａの外縁部から下方に延びる返し部２１と、を有していることを特徴とする、ゴミ箱。【選択図】図１
0003202631.tif 000002
【実用新案登録請求の範囲】
【請求項１】
ゴミ袋を収容する収容部を有したゴミ箱であって、
上方に開口部を有するゴミ箱本体と、
このゴミ箱本体の前記開口部を覆う蓋部材と、を備え、
前記蓋部材は、前記開口部よりも小径に形成された小開口部と、
この小開口部の外縁部から下方に延びる返し部と、を有していることを特徴とする、ゴミ箱。
【請求項２】
前記返し部は、筒状に形成されており、
前記返し部の一端側は、前記小開口部の外縁部に接続されていることを特徴とする、請求項１に記載のゴミ箱。
【請求項３】
前記蓋部材は、前記小開口部の内側に嵌り込む筒状部材をさらに有していることを特徴とする、請求項１又は請求項２に記載のゴミ箱。
【請求項４】
前記ゴミ袋に投入されたゴミを押し込むための押し込み棒をさらに備え、
この押し込み棒は、棒状に形成されており、
この押し込み棒の径は、前記筒状部材の内径よりも小さく形成されていることを特徴とする、請求項３に記載のゴミ箱。
【請求項５】
前記押し込み棒の先端には、テーパーが設けられていることを特徴とする、請求項４に記載のゴミ箱。
【請求項６】
前記小開口部は、平面視で長方形状に形成されていることを特徴とする、請求項１〜５の何れかに記載のゴミ箱。
【考案の詳細な説明】
【技術分野】
【０００１】
本考案は、ゴミの容積を圧縮することにより、収容量の拡大を図ることができるゴミ箱に関する。
【背景技術】
【０００２】
ゴミを廃棄する場合には、１つのゴミ袋になるべく多くのゴミを入れた方がゴミ袋の節約になり、処理コストを低減することができる。そのため、ゴミ袋内のゴミを手や足で押し込んで圧縮することが一般的に行われている。
【０００３】
しかしながら、従来の開口部の広いゴミ箱においては、ある部分を押し込めば別の部分が浮き上がり、ゴミが開口部から溢れ出ようとすることがしばしば発生し、非常に作業性が悪かった。そのため、ゴミの容積を圧縮してゴミの収容量の拡大を図るとともに、開口部からゴミが溢れることを抑制するゴミ箱が提案されている。
【０００４】
例えば、特許文献１には、ゴミ投入口（開口部）を小径に形成したゴミ箱の技術が記載されている。このゴミ容器は、手又は圧縮具をゴミ投入口からゴミ容器内部（すなわちゴミ袋内部）に挿入して、ゴミを押し込み圧縮することができる。その際、開口部を小さく形成したことにより、押し込まれた反動で別の部分からゴミが飛び出すことを抑制できるとされている。
【先行技術文献】
【特許文献】
【０００５】
【特許文献１】実用新案登録第３０３０１９１号公報
【考案の概要】
【考案が解決しようとする課題】
【０００６】
前述した従来の技術にあっては、開口部を小さく形成することにより、ゴミ圧縮時にゴミが開口部から飛び出してしまうことの抑制を期待できるものの、つぎのような改善すべき点が残されている。
【０００７】
すなわち、ゴミを圧縮して手や圧縮具を引き抜いた後、ゴミがゴミ箱内で変則的に移動してしまい、次に入れるゴミのスペースが確保できない場合がある。例えば、ゴミ圧縮時にゴミ箱の側面側に移動したゴミが崩れる等した場合には、開口部の下部にゴミが溜まってしまい、次に投入されるゴミの収容スペースが圧迫されてしまう。
【０００８】
このように、ゴミの圧縮後にゴミがゴミ箱内で変則的に移動してしまう場合には、ゴミの収容スペースを圧迫してしまう恐れがあるという問題があった。
【０００９】
本考案は、かかる実情に鑑み、ゴミ箱内でのゴミの移動を抑制することにより、ゴミの収容スペースを確保することができるゴミ箱を提供することを課題とする。
【課題を解決するための手段】
【００１０】
上記課題を解決するため、本考案に係る圧縮式ゴミ箱は、ゴミ袋を収容する収容部を有したゴミ箱であって、上方に開口部を有するゴミ箱本体と、このゴミ箱本体の前記開口部を覆う蓋部材と、を備え、前記蓋部材は、前記開口部よりも小径に形成された小開口部と、この小開口部の外縁部から下方に延びる返し部と、を有していることを特徴とする。
【００１１】
このように、小開口部の外縁部から下方に延びる返し部を形成したことにより、ゴミ圧縮後にゴミが移動することを抑制して、次に投入されるゴミの収容スペースを確保することができる。
また、小開口部の外縁部から下方に延びる返し部を形成したことにより、小開口部からゴミが吐出されてしまうことを抑制することができる。
【００１２】
本考案の好ましい形態によれば、前記返し部は、筒状に形成されており、前記返し部の一端側は、前記小開口部の外縁部に接続されていることを特徴とする。
このように、返し部を筒状に形成することにより、小開口部の全周を囲うことができる。
【００１３】
本考案の好ましい形態によれば、前記蓋部材は、前記小開口部の内側に嵌り込む筒状部材をさらに有していることを特徴とする。
このように、小開口部の内側に筒状部材を嵌め込む構成とすることにより、ゴミ袋を容易に固定することができる。
【００１４】
本考案の好ましい形態によれば、前記ゴミ袋に投入されたゴミを押し込むための押し込み棒をさらに備え、この押し込み棒は、棒状に形成されており、この押し込み棒の径は、前記筒状部材の内径よりも小さく形成されていることを特徴とする。
このように、押し込み棒を備えることにより、容易にゴミを圧縮してゴミの収容スペースを確保することができる。
【００１５】
本考案の好ましい形態によれば、前記押し込み棒の先端には、テーパーが設けられていることを特徴とする。
このように、押し込み棒の先端にテーパーを設けることより、ゴミを押し込んだ際に、ゴミをゴミ箱本体の側面側に移動させることができる。
【００１６】
本考案の好ましい形態によれば、前記小開口部と前記筒状部材は、平面視で長方形状に形成されていることを特徴とする。
このように、小開口部と筒状部材とを平面視で長方形状に形成することにより、食品トレイ等の板状のゴミに適したゴミ箱とすることができる。
【考案の効果】
【００１７】
本考案は、ゴミ箱内でのゴミの移動を抑制することにより、ゴミの収容スペースを確保することができるゴミ箱を提供することができる。
【図面の簡単な説明】
【００１８】
【図１】本考案の一実施形態に係るゴミ箱の概略図である。
【図２】本考案の一実施形態に係るゴミ箱の斜視図である。
【図３】本考案の一実施形態に係るゴミ箱の平面図である。
【図４】本考案の一実施形態に係るゴミ箱の図３のＸーＸ線縦断面図である。
【図５】本考案の一実施形態に係るゴミ箱の図３のＸＩーＸＩ線縦断面図である。
【図６】本考案の一実施形態に係るゴミ箱の構成を示す側断面図である。
【図７】本考案の一実施形態に係るゴミ箱の使用方法を示す側断面図である。
【考案を実施するための形態】
【００１９】
以下、本考案を図面に示した好ましい一実施形態について詳細に説明する。本考案の技術的範囲は、添付図面に示した実施形態に限定されるものではなく、実用新案登録請求の範囲に記載された範囲内において、適宜変更が可能である。
【００２０】
本考案の一実施形態に係るゴミ箱は、図１に示すように、ゴミ袋Ｂを収容する収容部１ｂを有したゴミ箱であって、上方に開口部１ａを有するゴミ箱本体１と、このゴミ箱本体１の開口部１ａを覆う蓋部材２と、ゴミ袋Ｂに投入されたゴミＴを押し込むための押し込み棒３と、を備えている。
図２はゴミ箱の組立時の斜視図を、図３はゴミ箱の組立時の平面図をそれぞれ示している。また、図４は図３のＸーＸ線縦断面図を、図５は図３のＸＩーＸＩ線縦断面図をそれぞれ示している。
【００２１】
ゴミ箱本体１は、上方に開口部１ａを有する有底筒状に形成され、蓋部材２と係合する係合凸部１１と、押し込み棒３を固定するホルダー１２と、を有している。また、図２においては、ゴミ箱本体１は四角い箱状に形成されているが、多角形状や円筒状に形成しても良い。このゴミ箱本体１の材料としては、容易に変形するプラスチック等の材料で形成されていることが望ましい。
【００２２】
係合凸部１１は、ゴミ箱本体１の相対する側面にそれぞれ設けられており、蓋部材２の係合凹部２４と係合させることで、蓋部材２はゴミ箱本体１に固定される。
ホルダー１２は、ゴミ箱本体１の一側面に設けられており、押し込み棒３を使用しない時に差し込んで保持できるよう構成されている。
【００２３】
蓋部材２は、ゴミ箱本体１の開口部１ａよりも小径に形成された小開口部２ａが形成されており、この小開口部２ａの外縁部から下方に延びる返し部２１と、上方に延びる立ち上り部２２と、小開口部２ａの内側に嵌り込む筒状部材２３と、係合凸部１１と係合する係合凹部２４と、ゴミ袋Ｂの持ち手を引っ掛けて固定するフック部２５と、を有している。
また、この蓋部材２は天面及び側面を有し、小開口部２ａ、返し部２１、立ち上り部２２及び筒状部材２３は天面に設けられ、係合凹部２４及びフック部２５は側面に設けられている。
【００２４】
小開口部２ａは、平面視で長方形状に形成されており、この長方形の幅は、開口部１ａの幅の２分の１ないし３分の１程度の大きさに設定され、長方形の長さは、開口部１ａの長さの３分の２ないし２分の１程度の大きさに設定されていることが望ましい。また、小開口部２ａは、長方形状であることが望ましいが、必ずしも長方形状である必要は無く、円状や楕円状、多角形状を採用しても良い。
【００２５】
返し部２１は、小開口部２ａの形状や大きさに対応した形状の筒状に形成されており、一端側は小開口部２ａの外縁部に接続されている。この返し部２１は、ゴミ箱本体１の収容部１ｂ側に突出して設けられ、小開口部２ａの全周を囲うよう形成されている。
立ち上り部２２は、返し部２１と同様に筒状に形成されており、返し部２１の上方に延びるように形成されている。
【００２６】
筒状部材２３は、筒状に形成されており、小開口部２ａの内側に嵌り込むことができるよう、小開口部２ａの大きさや形状に対応した形状となっている。また、この筒状部材２３の上端には、小開口部２ａよりも大径に形成されたストッパー２３ａが設けられており、筒状部材２３が小開口部２ａに落ち込まないように構成されている。
この筒状部材２３は、小開口部２ａに嵌め込む際に、筒状部材２３と小開口部２ａの間にゴミ袋Ｂを配置することで、ゴミ袋Ｂを固定することができる（図１及び図６（ｂ）参照）。
【００２７】
係合凹部２４は、蓋部材２の側面に設けられており、ゴミ箱本体１の側面に設けられた係合凸部１１に対応する位置に形成されている。この係合凹部２４は、係合凸部１１と係合する形状であれば良く、貫通孔や窪みを採用することができる。
【００２８】
押し込み棒３は、ゴミＴを押圧する押圧部３１と、ホルダー１２よりも大径に形成された鍔部３２と、使用者の持ち手となる柄部３３と、を備えている。
押圧部３１は、ホルダー１２に挿入可能な径の棒状に形成されており、押圧部３１の先端にはテーパー３１ａが設けられている。
【００２９】
次に、本考案に係るゴミ箱の組立方法について、図６を用いて詳細に説明する。
図６（ａ）は、ゴミ箱本体１の収容部１ｂにゴミ袋Ｂを収容する様子を示した図であり、蓋部材２及び筒状部材２３は取り外されている。ゴミ袋Ｂを取り換える際には、このように蓋部材２及び筒状部材２３を取り外して、ゴミＴが溜まったゴミ袋Ｂを取り外し、新しいゴミ袋Ｂを収容する。
【００３０】
図６（ｂ）は、ゴミ箱本体１に蓋部材２を取付けた様子を示す図であり、ゴミ箱本体１に設けられた係合凸部１１と蓋部材２に設けられた係合凹部２４とが係合することにより、蓋部材２がゴミ箱本体１に固定される。また、蓋部材２を外す場合には、ゴミ箱本体１の係合凸部１１が設けられた面を、内側に向かって両側から押圧することにより、係合凸部１１と係合凹部２４の係合を解くことができる。
【００３１】
図６（ｃ）は、蓋部材２に筒状部材２３を取付けた様子を示す図であり、ゴミ袋Ｂの上部を蓋部材２と筒状部材２３とで挟むことで、ゴミ袋Ｂを固定することができる。また、図６には示していないが、ゴミ袋Ｂが持ち手を有している場合には、蓋部材２に設けられたフック部２５に持ち手を引っ掛けることによりゴミ袋Ｂの固定性を向上させることができる（図２及び図３参照）。
【００３２】
次に、本考案に係るゴミ箱の使用方法について、図７を用いて詳細に説明する。
図７（ａ）は、ゴミＴがある程度溜まった状態を示す縦断面図であり、押し込み棒３が小開口部２ａに挿入される前の状態を示している。
【００３３】
図７（ｂ）は、図７（ａ）のゴミ箱に押し込み棒３が挿入された状態を示す縦断面図であり、ゴミＴを下方向に押し込んで圧縮すると共に、テーパー３１ａによってゴミＴをゴミ箱本体１の側面側に移動する様子を示している。
【００３４】
図７（ｃ）は、図７（ｂ）のゴミ箱から押し込み棒３を引き抜いた状態を示す縦断面図であり、押し込み棒３が圧縮した部分には収容スペースＳが形成される様子を示している。また、ゴミ箱本体１の側面側に移動したゴミＴは返し部２１によって、小開口部２ａから排出されることを抑制されると共に、ゴミＴが返し部２１によって崩れないように支持されている。
【００３５】
本考案によれば、蓋部材２に小開口部２ａの外縁部から下方に延びる返し部２１が設けられていることにより、ゴミＴが小開口部２ａから吐出してしまうことを確実に抑制することができる。すなわち、押し込み棒３によってゴミＴが押圧された際に、上方に移動したゴミＴは返し部２１によってトラップされるために、小開口部２ａからゴミＴが吐出してしまうことを抑制することができる。
【００３６】
また、本考案によれば、返し部２１が設けられていることにより、押し込み棒３を引き抜いた後に側面側に移動したゴミＴが崩れることを抑制して、次に投入するゴミＴの収容スペースＳを確保することができる。すなわち、ゴミＴがある程度溜まった状態で押し込み棒３を挿入すると、ゴミＴがゴミ箱本体１の側面側に移動する。この時、側面側に移動したゴミＴが崩れる等して、押し込み棒３によって中央部に形成された収容スペースＳを埋めてしまうと、次に投入されるゴミＴが入らなくなってしまう。そこで、返し部２１を設けゴミＴを支持することにより、ゴミＴが移動して収容スペースＳを埋めてしまうことを抑制し、小開口部２ａの下部に収容スペースＳを確保することができる。
【００３７】
また、本考案によれば、押し込み棒３の先端にテーパー３１ａを設けることにより、ゴミＴの圧縮時にゴミＴをゴミ箱本体１の側面側に移動させ圧縮することができる。このように、ゴミＴをゴミ箱本体１の側面側に集めることによって、返し部２１がゴミＴを支持し易くすることができる。
【００３８】
また、本考案によれば、小開口部２ａの内側に筒状部材２３を嵌め込む構成とすることにより、ゴミ袋Ｂを容易に固定することができる。すなわち、ゴミ袋Ｂを小開口部２ａの内壁（返し部２１及び立ち上り部２２の内壁）と筒状部材２３の外壁で挟んで固定することができる。また、筒状部材２３がゴミＴと接触して汚れた場合には、取り外して容易に洗浄することができる。
【００３９】
また、本考案によれば、押し込み棒３を筒状部材２３に挿入する構成としたことにより、ゴミ袋Ｂが破れてしまうことを防止することができる。すなわち、押し込み棒３は、筒状部材２３に挿入されるためゴミ袋Ｂと接触することが無いため、摩擦等によってゴミ袋Ｂが破れてしまうことを抑制することができる。
【００４０】
また、本考案によれば、小開口部２ａを長方形状に形成することにより、食品トレイのような板状のゴミＴに適したゴミ箱とすることができる。
【符号の説明】
【００４１】
１        ゴミ箱本体
１ａ      開口部
１ｂ      収容部
１１      係合凸部
１２      ホルダー
２        蓋部材
２ａ      小開口部
２１      返し部
２２      立ち上り部
２３      筒状部材
２３ａ    ストッパー
２４      係合凹部
２５      フック部
３        押し込み棒
３１      押圧部
３１ａ    テーパー
３２      鍔部
３３      柄部
Ｂ        ゴミ袋
Ｓ        収容スペース
【図１】
0003202631.tif 000003
【図２】
0003202631.tif 000004
【図３】
0003202631.tif 000005
【図４】
0003202631.tif 000006
【図５】
0003202631.tif 000007
【図６】
0003202631.tif 000008
【図７】
0003202631.tif 000009